(57)【特許請求の範囲】
【請求項１】
大径円形側板と小径円形側板とを回転軸へ交互に嵌着させ且つ大径円形側板よりも小径の間板を上記大小両側板の間に介装させて積層状回転体となし、該積層状回転体に軸方向の送液路が貫通されるよう各側板および間板に同心状の透孔を設け、各間板の板体外周縁の円周中心部を残して両側部から各透孔へ通じる切欠部を開設させ、原液供給口と固分排出口を有する処理槽内において複数の積層状回転体を送液方向へ定間隔に配列させて、相隣接する積層状回転体の一方の積層状回転体における大径円形側板の外周縁が他方の積層状回転体における小径円形側板の外周縁に接近した態様となし、各積層状回転体の送液路と対向する液分取出孔を処理槽の側壁に穿設し、各積層状回転体における各間板の外周にはそれぞれ遊環板を遊合させて、各回転軸の回転時には相隣接する積層状回転体の一方の積層状回転体における遊環板の外周縁が他方の積層状回転体における遊環板の外周縁と離接することにより、相互に干渉し合って偏心状態で停止しまたは大小両側板よりも低速度で偏心回転させられるよう構成したことを特徴とする固液分離装置。
【発明の詳細な説明】
【０００１】
【産業上の利用分野】
本発明は、液体中に含まれている固形物、特に懸濁固形物（ＳＳ）を分離すると共に、分離した固分と液分を各別に取り出すための装置に関する。
【０００２】
【従来技術とその問題点】
直径を均しくする多数の回転プレートを回転軸に嵌着して各プレート間に細隙溝を保有させると共に各プレートに送液用透孔を配設してなる積層状濾過素子の複数を、隣接するもの同士互いにプレートを相手の細隙溝に嵌入させて交接状態に配設した型式の固液分離装置は公知である。
【０００３】
そしてこの型式の固液分離装置では、細隙溝への回転プレートの嵌入を深くすれば送液用透孔が塞がれることになるため、プレート周辺部のみが細隙溝へ嵌入するよう軸間間隔を広く取った濾過素子の配設態様としているが、その結果、プレート同士の重なり部分の面積が小さくなって固液分離作用が不十分となり、送液用透孔からの濾液の誘出作用も微弱であり、また、プレートの届かない細隙溝および送液用透孔に固形物が詰まり易く且つその除去機能も働かないという欠点がある。
【０００４】
【発明の目的】
本発明の目的は、固液分離装置に関し、自浄作用によって細隙溝および送液路への固形物の進入が阻止し得られると共に円滑な濾液の誘出作用が行われて、十分な固液分離効果を発揮させることにある。
【０００５】
【発明の構成】
本発明に係る固液分離装置においては、大径円形側板と小径円形側板とを回転軸へ交互に嵌着させ且つ大径円形側板よりも小径の間板を上記大小両側板の間に介装させて積層状回転体となし、該積層状回転体に軸方向の送液路が貫通されるよう各側板および間板に同心状の透孔を設け、各間板の板体外周縁の円周中心部を残して両側部から各透孔へ通じる切欠部を開設させ、原液供給口と固分排出口を有する処理槽内において複数の積層状回転体を送液方向へ定間隔に配列させて、相隣接する積層状回転体の一方の積層状回転体における大径円形側板の外周縁が他方の積層状回転体における小径円形側板の外周縁に接近した態様となし、各積層状回転体の送液路と対向する液分取出孔を処理槽の側壁に穿設し、各積層状回転体における各間板の外周にはそれぞれ遊環板を遊合させて、各回転軸の回転時には相隣接する積層状回転体の一方の積層状回転体における遊環板の外周縁が他方の積層状回転体における遊環板の外周縁と離接することにより、相互に干渉し合って偏心状態で停止しまたは大小両側板よりも低速度で偏心回転させられるよう構成した。
【０００６】
【実施例】
以下実施例の図面により説明をする。
【０００７】
１は複数の大径円形側板２‥‥２と複数の小径円形側板３‥‥３を回転軸４へ交互に嵌着させ且つ小径円形側板３‥‥３よりも若干小径の間板５‥‥５を上記大小両側板２，３の間に介装させてなる積層状回転体であって、各間板５‥‥５の外周にはそれぞれ遊環板６‥‥６が遊合されている。そして上記積層状回転体１には軸方向の送液路７が貫通されるよう、大小両側板２，３および間板５に同心状の透孔８‥‥８をそれぞれ配設するが、各間板５‥‥５の板体外周縁の円周中心部を残して両側部から各透孔８‥‥８へ通じる切欠部９‥‥９を開設させる。つまり、大小両側板２，３および間板５に同心状に配設される前記透孔８‥‥８のうち、間板５に穿設された透孔８‥‥８のみ板体外周縁に切欠部９‥‥９が開口されることになる。
【０００８】
間板５の上述の構造を構成させるについては、厚手の板体の板面周辺部を肉薄に削除して図７および図８に示すような形態としてもよく、或いは図９〜１２に示すよう中央板体５ａの板面を２枚の側板５ｂ，５ｂで挟持させ、中央板体５ａについては透孔８‥‥８に切欠部を設けることなく、両側板５ｂ，５ｂに穿設された透孔８‥‥８にはそれぞれ切欠部９‥‥９を開設させた形態としてもよい。上記いずれの形態であっても、間板５の板体外周縁の円周中心部が遊環板６の内周縁との接触面となるのである。
【０００９】
間板５の外周に遊合される遊環板６は、図１３〜１６に例示するような形状に形成されている。図１３の事例では遊環板６の外径が、大径円形側板２の外径よりも小径で小径円形側板３の外径よりは大径に形成せられ、遊環板６の内径は間板５の外周と十分な間隔を保有するよう間板５の外径よりも大径に形成されている。図１４の事例では遊環板６の外径が、大径円形側板２の外径よりも小径で小径円形側板３の外径よりは大径に形成せられ、遊環板６の内径は間板５の外径よりも僅かに大径の端径部Ａ１と、間板５の外周から大きく離隔した長径部Ａ２とによって楕円形に形成されている。図１５の事例では遊環板６の内径が、間板５の外径よりも僅かに大径の短径部Ａ１と、間板５の外周から大きく離隔した長径部Ａ２とによって非真円形に形成せられ、遊環板６の外径は大径円形側板２の外径よりも小径で小径で小径円形側板３の外径よりは大径であって上記内径の長径部Ａ２に対向する短径部Ｂ１と、内径の短径部Ａ１に対向する長径部Ｂ２とによって楕円形に形成されている。図１６の事例では遊環板６の内径が、間板５の外径よりも僅かに大径に形成せられ、遊環板６の外径は大径円形側板２の外径よりも小径で小径円形側板３の外径よりは大径であって且つ間板５の外周から大きく離隔した長径部Ｂ２と、該長径部Ｂ２よりも間板５の外周に接近した短径部Ｂ１とによって楕円形に形成されている。
【００１０】
１０は処理槽であって、その上壁には原液の供給口１１が開設され、後端壁には固分排出口１２が開設されている。処理槽１０内には複数の前記積層状回転体１‥‥１を送液方向へ順次隣接させ、相隣接する積層状回転体１，１の一方の積層状回転体１における大径円形側板２の外周縁が、他方の積層状回転体１における小径円形側板３の外周縁に接近した状態で、例えば固分排出口１２を上下から挟むよう二列に配列して各積層状回転体１‥‥１の回転軸４‥‥４を処理槽１０の両側壁に支承させるのである。なお、図示はされていないが処理槽１０の一方の外側には濾液室が付設されており、各回転軸４‥‥４の支承部の周辺部に穿設された流通孔を介して前記送液路７と濾液室とが導通するようになっている。また、処理槽１０の他方の外側には各回転軸４‥‥４の先端部が導出せられ、その導出先端部にはスプロケットホイールがそれぞれ嵌着されている。そして供給口１１より供給された原液を固分排出口１２の開口方向へ移動させるため、上列の積層状回転体群１‥‥１と下列の積層状回転体群１‥‥１とが互いに反対方向へ回転するように、原動機軸を各スプロケットホイールにチェーン伝動させるのである。
【００１１】
【作用】
原動機の回転によって積層状回転体１‥‥１を所定方向へ低速回転させ、原液供給口１１から処理槽１０内へ原液を供給する。積層状回転体１‥‥１の回転に伴い間板５の切欠部９‥‥９から液分が送液路７‥‥７を通って濾液室内へ移送せられ、原液は固分排出口１２の開口方向へ移送されるに従い固液分離作用により濃縮され、次第に脱水されて含水率の低い固分となって排出口１２から排出せられ、濾液室内の液分は下底部の液分排出口から外部へ排出される。そして積層状回転体１‥‥１の回転中、相隣接する積層状回転体１，１の遊環板６，６の外周縁周縁同士で当接と離隔を繰り返すことにより、相互に干渉し合って偏心状態で停止しまたは大小両側板２，３よりも低速度で偏心回転するため、上記固液分離過程において積層状回転体１の各板体側面および透孔８へ通じる切欠部９の周辺にはセルフクリーニング機能が働くと共に濾過微粒子の移動強制作用が生じることになる。
【００１２】
【発明の効果】
本発明固液分離装置によれば、間板５の外周に遊合された遊環板６が積層状回転体１と偏心状に交接するため、各板体側面に生じるセルフクリーニング効果によって固形物の詰まりを防止し得られ、また、間板５の透孔８には板体周辺部から送液路７へ通じる切欠部９が開口されているので、上記セルフクリーニング効果が該切欠部９の周辺にまで及ぶことと相まって送液路７への濾液の誘導が円滑となり、積層状回転体１による固液分離作業を一層有効に行わせ得るという利点がある。
【発明の効果】
【図面の簡単な説明】
【図１】本発明固液分離装置の縦断側面図である。
【図２】本発明固液分離装置における積層状回転体の側面図である。
【図３】本発明固液分離装置における積層状回転体の横断平面図である。
【図４】本発明固液分離装置における複数の積層状回転体の隣接態様を示した平面図である。
【図５】本発明固液分離装置における積層状回転体を構成する大径円形側板の側面図である。
【図６】本発明固液分離装置における積層状回転体を構成する小径円形側板の側面図である。
【図７】本発明固液分離装置における積層状回転体を構成する間板を一体構造に作成した場合の側面図である。
【図８】本発明固液分離装置における積層状回転体を構成する間板を一体構造に作成した場合の横断平面図である。
【図９】本発明固液分離装置における積層状回転体を構成する間板を接合構造に作成する場合の中央板体の側面図である。
【図１０】本発明固液分離装置における積層状回転体を構成する間板を接合構造に作成する場合の側板の側面図である。
【図１１】本発明固液分離装置における積層状回転体を構成する間板を接合構造に作成した場合の側面図である。
【図１２】本発明固液分離装置における積層状回転体を構成する間板を接合構造に作成した場合の横断平面図である。
【図１３】本発明固液分離装置における積層状回転体を構成する間板の外周に遊合される遊環板の形状を例示した側面図であって、内径および外径を真円形に形成した事例である。
【図１４】本発明固液分離装置における積層状回転体を構成する間板の外周に遊合される遊環板の形状を例示した側面図であって、内径を楕円形に形成し外径を真円形に形成した事例を示す。
【図１５】本発明固液分離装置における積層状回転体を構成する間板の外周に遊合される遊環板の形状を例示した側面図であって、内径および外径を楕円形に形成した事例を示す。
【図１６】本発明固液分離装置における積層状回転体を構成する間板の外周に遊合される遊環板の形状を例示した側面図であって、内径を真円形に形成し外径を楕円形に形成した事例を示す。
【符号の説明】
１    積層状回転体
２    大径円形側板
３    小径円形側板
４    回転軸
５    間板
６    遊環板
７    送液路
８    透孔
９    切欠部
１０  処理槽
１１  原液供給口
１２  固分排出口
【図１】
0003734556.tif 000002
【図２】
0003734556.tif 000003
【図３】
0003734556.tif 000004
【図４】
0003734556.tif 000005
【図５】
0003734556.tif 000006
【図６】
0003734556.tif 000007
【図７】
0003734556.tif 000008
【図８】
0003734556.tif 000009
【図９】
0003734556.tif 000010
【図１０】
0003734556.tif 000011
【図１１】
0003734556.tif 000012
【図１２】
0003734556.tif 000013
【図１３】
0003734556.tif 000014
【図１４】
0003734556.tif 000015
【図１５】
0003734556.tif 000016
【図１６】
0003734556.tif 000017